(57)【要約】【課題】  手間をかけさせることなくアドレスをグループ単位に分類して記憶し得るアドレス記憶装置を提案する【解決手段】  ブックマークを分類する単位となるフォルダにキーワードを登録しておき、閲覧中ページのＵＲＬをブックマークとして登録する際に、当該閲覧中ページの全テキストからキーワードを検索し、検索結果として得られたキーワードに対応するフォルダに当該ＵＲＬを分類して登録するようにしたことにより、閲覧中ページのＵＲＬを当該閲覧中ページに関連するフォルダに自動的に分類して登録することができるので、手間をかけさせることなくＵＲＬをブックマークとしてフォルダ毎に分類して登録することができる。【選択図】          図１４
2005173977.tif 000002
【特許請求の範囲】
【請求項１】
ページ情報のアドレスを分類するためのグループを設定するグループ設定手段と、
上記グループに対して当該グループの分類を示すためのキーワードを設定するキーワード設定手段と、
上記ページ情報を表示する表示手段と、
上記表示手段に表示されている上記ページ情報のアドレスの記憶を要求する要求情報に応じて、当該ページ情報から上記キーワードを検索するキーワード検索手段と、
上記キーワード検索手段によって検索されたキーワードに対応する上記グループに上記アドレスを分類して記憶するアドレス記憶手段と
を具えることを特徴とするアドレス記憶装置。
【請求項２】
上記キーワード設定手段は、
上記キーワードに対して優先度を設定し、
上記アドレス記憶手段は、
上記キーワード検索手段によって上記ページ情報から上記キーワードが複数検索された場合に、当該複数検索されたキーワードのうちの上記優先度の最も高いキーワードに対応する上記グループに当該ページ情報のアドレスを記憶する
ことを特徴とする請求項１に記載のアドレス記憶装置。
【請求項３】
上記表示手段は、
上記キーワード検索手段によって上記ページ情報から上記キーワードが検索された場合に、当該キーワードに対応する上記グループに上記アドレスを登録することをユーザに伝えるためのメッセージを表示する
ことを特徴とする請求項１に記載のアドレス記憶装置。
【請求項４】
上記アドレス記憶手段は、
上記アドレス記憶手段に記憶済のアドレスと一部又は全部が一致しているアドレスについては自動的に記憶しない
ことを特徴とする請求項１に記載のアドレス記憶装置。
【請求項５】
上記アドレス記憶手段は、
上記キーワード検索手段によって上記キーワードが検索されなかった場合、上記アドレスを所定の上記グループに記憶する
ことを特徴とする請求項１に記載のアドレス記憶装置。
【請求項６】
上記アドレス記憶手段は、
上記キーワード検索手段によって上記キーワードが検索されなかった場合、上記アドレスを自動的に記憶しない
ことを特徴とする請求項１に記載のアドレス記憶装置。
【請求項７】
上記グループ設定手段は、
上記ページ情報のアドレスを分類するための複数階層のグループを設定し、
上記キーワード検索手段は、
上記ページ情報から上記複数階層のグループの中の上層のグループに対応するキーワードが検索された場合、さらに当該ページ情報から当該上層のグループの下層のグループに対応するキーワードを検索する
ことを特徴とする請求項１に記載のアドレス記憶装置。
【請求項８】
上記表示手段に表示された上記ページ情報内の任意のテキスト部分を選択する選択手段を具え、
上記キーワード設定手段は、
上記選択手段によって選択されたテキスト部分をキーワードとして認識し、当該キーワードを上記グループに設定する
ことを特徴とする請求項１に記載のアドレス記憶装置。
【請求項９】
ページ情報のアドレスを分類するためのグループを設定するグループ設定ステップと、
上記グループに対して当該グループの分類を示すためのキーワードを設定するキーワード設定ステップと、
上記ページ情報を表示する表示ステップと、
上記表示ステップで表示した上記ページ情報のアドレスの記憶を要求する要求情報に応じて、当該ページ情報から上記キーワードを検索するキーワード検索ステップと、
上記キーワード検索ステップで検索した上記キーワードが設定された上記グループに上記アドレスを分類して記憶するアドレス記憶ステップと
を具えることを特徴とするアドレス記憶方法。
【請求項１０】
上記キーワード設定ステップでは、
上記キーワードに対して優先度を設定し、
上記アドレス記憶ステップでは、
上記キーワード検索ステップで上記ページ情報から上記キーワードが複数検索された場合に、当該複数検索されたキーワードのうちの上記優先度の最も高いキーワードに対応する上記グループに当該ページ情報のアドレスを記憶する
ことを特徴とする請求項９に記載のアドレス記憶方法。
【請求項１１】
上記表示ステップでは、
上記キーワード検索ステップで上記ページ情報から上記キーワードが検索された場合に、当該キーワードに対応する上記グループに上記アドレスを登録することをユーザに伝えるためのメッセージを表示する
ことを特徴とする請求項９に記載のアドレス記憶方法。
【請求項１２】
上記アドレス記憶ステップでは、
記憶済の上記アドレスと一部又は全部が一致しているアドレスについては自動的に記憶しない
ことを特徴とする請求項９に記載のアドレス記憶方法。
【請求項１３】
上記アドレス記憶ステップでは、
上記キーワード検索ステップで上記キーワードが検索されなかった場合、上記アドレスを所定の上記グループに記憶する
ことを特徴とする請求項９に記載のアドレス記憶方法。
【請求項１４】
上記アドレス記憶ステップでは、
上記キーワード検索ステップで上記キーワードが検索されなかった場合、上記アドレスを自動的に記憶しない
ことを特徴とする請求項９に記載のアドレス記憶方法。
【請求項１５】
上記グループ設定ステップでは、
上記ページ情報のアドレスを分類するための複数階層のグループを設定し、
上記キーワード検索ステップでは、
上記ページ情報から上記複数階層のグループの中の上層のグループに対応するキーワードが検索された場合、さらに当該ページ情報から当該上層のグループの下層のグループに対応するキーワードを検索する
ことを特徴とする請求項９に記載のアドレス記憶方法。
【請求項１６】
上記表示ステップで表示した上記ページ情報内の任意のテキスト部分を選択する選択ステップを具え、
上記キーワード設定ステップでは、
上記選択ステップで選択した上記テキスト部分を上記キーワードとして認識し、当該キーワードを上記グループに設定する
ことを特徴とする請求項９に記載のアドレス記憶方法。
【請求項１７】
情報処理装置に対して、
ページ情報のアドレスを分類するためのグループを設定するグループ設定ステップと、
上記グループに対して当該グループの分類を示すためのキーワードを設定するキーワード設定ステップと、
上記ページ情報を表示する表示ステップと、
上記表示ステップで表示した上記ページ情報のアドレスの記憶を要求する要求情報に応じて、当該ページ情報から上記キーワードを検索するキーワード検索ステップと、
上記キーワード検索ステップで検索した上記キーワードが設定された上記グループに上記アドレスを分類して記憶するアドレス記憶ステップと
を実行させることを特徴とするアドレス記憶プログラム。
【発明の詳細な説明】
【技術分野】
【０００１】
本発明はアドレス記憶装置に関し、例えばＷｅｂページのアドレスを記憶する際に適用して好適なものである。
【背景技術】
【０００２】
従来、Ｗｅｂブラウザ機能を有するアドレス記憶装置としてのクライアント端末においては、Ｗｅｂページのアドレス（以下、これをＵＲＬ（Uniform Resource Locator）と呼ぶ）が入力されると、当該ＵＲＬをもとに当該Ｗｅｂページを提供しているＷｅｂサーバにアクセスし、当該Ｗｅｂサーバから当該Ｗｅｂページのページ情報（以下、これをページデータとも呼ぶ）をダウンロードすることにより、当該Ｗｅｂページを所定の表示部に表示するようになされている。
【０００３】
また、かかるクライアント端末の多くは、ＷｅｂページのＵＲＬを所定の記憶部に記憶し、それ以降、当該ＵＲＬを直接入力させることなく、所定の表示部に表示したＵＲＬをマウス等で選択するだけでＷｅｂページにアクセスできるようにしたブックマーク機能を有しており、さらに当該ＵＲＬを例えば「ニュース」や「スポーツ」といったグループ単位に分類して記憶することにより、複数記憶したＵＲＬの中からユーザが所望のＵＲＬを見付け出し易くするようになされたものがある（例えば特許文献１参照）。
【特許文献１】特開平１１−７３４３２号公報
【発明の開示】
【発明が解決しようとする課題】
【０００４】
しかしながら、かかるクライアント端末においては、ＵＲＬをグループ単位に分類して記憶する場合、ユーザがキーボードやマウス等の入力デバイスを介して当該ＵＲＬを分類するための煩雑な分類操作を行わなければならず、当該ＵＲＬの分類に手間がかかるという問題があった。
【０００５】
本発明は以上の点を考慮してなされたもので、手間をかけさせることなくアドレスをグループ単位に分類して記憶し得るアドレス記憶装置を提案しようとするものである。
【課題を解決するための手段】
【０００６】
かかる課題を解決するため本発明のアドレス記憶装置においては、ページ情報のアドレスを分類するためのグループを設定するグループ設定手段と、グループに対して当該グループの分類を示すためのキーワードを設定するキーワード設定手段と、ページ情報を表示する表示手段と、表示手段に表示されているページ情報のアドレスの記憶を要求する要求情報に応じて、当該ページ情報からキーワードを検索するキーワード検索手段と、キーワード検索手段によって検索されたキーワードが設定されたグループにアドレスを分類して記憶するアドレス記憶手段とを設けるようにした。
【０００７】
また本発明のアドレス記憶方法においては、ページ情報のアドレスを分類するためのグループを設定するグループ設定ステップと、グループに対して当該グループの分類を示すためのキーワードを設定するキーワード設定ステップと、ページ情報を表示する表示ステップと、表示ステップで表示したページ情報のアドレスの記憶を要求する要求情報に応じて、当該ページ情報からキーワードを検索するキーワード検索ステップと、キーワード検索ステップで検索したキーワードが設定されたグループにアドレスを分類して記憶するアドレス記憶ステップとを設けるようにした。
【０００８】
さらに本発明のアドレス記憶プログラムにおいては、情報処理装置に対して、ページ情報のアドレスを分類するためのグループを設定するグループ設定ステップと、グループに対して当該グループの分類を示すためのキーワードを設定するキーワード設定ステップと、ページ情報を表示する表示ステップと、表示ステップで表示したページ情報のアドレスの記憶を要求する要求情報に応じて、当該ページ情報からキーワードを検索するキーワード検索ステップと、キーワード検索ステップで検索したキーワードが設定されたグループにアドレスを分類して記憶するアドレス記憶ステップとを実行させるようにした。
【０００９】
このように、ページ情報のアドレスを分類するためのグループにキーワードを設定しておき、ページ情報のアドレスを記憶する際に、当該ページ情報からキーワードを検索し、検索結果として得られたキーワードが設定されたグループに当該アドレスを分類して記憶するようにしたことにより、ページ情報のアドレスを当該ページ情報に関連するグループに自動的に分類して記憶することができる。
【発明の効果】
【００１０】
本発明によれば、ページ情報のアドレスを分類するためのグループにキーワードを設定しておき、ページ情報のアドレスを記憶する際に、当該ページ情報からキーワードを検索し、検索結果として得られたキーワードに対応するグループに当該アドレスを分類して記憶するようにしたことにより、ページ情報のアドレスを当該ページ情報に関連するグループに自動的に分類して記憶することができ、かくしてユーザに手間をかけさせることなくアドレスをグループ単位に分類して記憶し得るアドレス記憶装置、アドレス記憶方法及びアドレス記憶プログラムを実現できる。
【発明を実施するための最良の形態】
【００１１】
以下図面について、本発明の一実施の形態を詳述する。
【００１２】
（１）ネットワークシステムの全体構成
図１において、１は全体としてネットワークシステムを示し、クライアント端末２がネットワーク３を介して各種Ｗｅｂページを提供するＷｅｂサーバ５Ａ〜５Ｎと接続されている。
【００１３】
クライアント端末２は、Ｗｅｂページを閲覧するためのＷｅｂブラウザ機能を有しており、ＷｅｂページのＵＲＬが入力されると、当該ＵＲＬをもとに当該Ｗｅｂページを提供するＷｅｂサーバ５Ａ〜５Ｎにアクセスしてページデータをダウンロードし、当該ページデータをＷｅｂページに変換して所定の表示部に表示するようになされている。
【００１４】
またクライアント端末２は、ＷｅｂページのＵＲＬを記憶するブックマーク機能を有しており、当該ＵＲＬの記憶命令が入力されると、当該ＵＲＬをブックマークとして記憶するようになされている。これによりクライアント端末２は、ＵＲＬをブックマークとして記憶した以降、わざわざ当該ＵＲＬを入力させることなく、当該ブックマークとして記憶したＵＲＬを選択させるだけで、当該ＵＲＬに応じたＷｅｂページを閲覧させることができるようになされている。
【００１５】
（１−１）Ｗｅｂサーバの構成
次にＷｅｂサーバ５Ａの構成について説明する。なお、Ｗｅｂサーバ５Ｂ〜５ＮについてはＷｅｂサーバ５Ａと全て同一の構成であるため、構成についての説明を省略する。
【００１６】
図２に示すようにＷｅｂサーバ５Ａは、ＣＰＵ（Central Processing Unit）からなる制御部１０が、ＲＯＭ（Read Only Memory）１１又はハードディスクドライブ１２に記憶されている基本プログラムや通信プログラム等の各種プログラムをバス１３を介してＲＡＭ（Random Access Memory）１４に適宜展開し、これを実行することにより、クライアント端末２とページデータ等の各種データをやり取りするための通信処理や、その他各種処理を実行するようになされている。また、このハードディスクドライブ１２には、Ｗｅｂページのページデータが予め記憶されている。
【００１７】
Ｗｅｂサーバ５Ａの制御部１０は、クライアント端末２から送信されたＷｅｂページのページデータを要求する要求信号をネットワーク３及びデータ通信処理部１５を順次介して受信すると、当該要求信号に基づきハードディスクドライブ１２からページデータを読み出し、これをクライアント端末２に対してデータ通信処理部１５及びネットワーク３を順次介して送信するようになされている。
【００１８】
（１−２）クライアント端末の構成
図３に示すようにクライアント端末２は、ＣＰＵ２０が、ＲＯＭ２２やハードディスクドライブ２４に記憶されている基本プログラムやＷｅｂブラウザプログラム、ブックマーク自動分類プログラム等の各種プログラムを、バス２１を介してＲＡＭ２３に適宜展開し、これを実行することにより全体を制御すると共に、リモートコントローラ２５から赤外線信号として送信される各種命令を赤外線受信部２６で受信し、当該各種命令に応じて後述するブックマーク自動分類処理等の各種処理を実行するようになされている。
【００１９】
ディスプレイ２７は、例えば液晶ディスプレイ等の表示デバイスが本体部の筐体表面に直接取り付けられている場合や、外付けの表示デバイスであってもよく、表示処理部２８を介して入力される各種情報を表示するようになされている。また本実施の形態の場合、このディスプレイ２７は、通常のテレビジョンやパーソナルコンピュータ用のディスプレイよりも小さいサイズ（５インチ程度）となっている。
【００２０】
メディアドライブ２９は、ＣＤやメモリスティック（登録商標）等のコンテンツが記録されたメディアを再生するドライブであって、再生結果をオーディオデータ処理部３０を介してディジタルアナログ変換処理した後に２ｃｈのスピーカ３１から出力するようになされている。
【００２１】
なおＣＰＵ２０は、メディアドライブ２９を介して再生したデータが楽曲のオーディオコンテンツである場合、当該データをオーディオデータファイルとしてハードディスクドライブ２４に記憶することも可能である。
【００２２】
さらにＣＰＵ２０は、メディアドライブ２９によってメモリスティック等に記憶された複数枚の静止画を読み出し、これらを表示処理部２８を介してディスプレイ２７にスライドショーとして表示することもできる。
【００２３】
またＣＰＵ２０は、ハードディスクドライブ２４に記憶した複数の楽曲をランダムアクセスで読み出し、あたかもジュークボックスのようにユーザ所望の順番で再生して出力することも可能である。
【００２４】
チューナ部３２は、例えばＡＭ、ＦＭラジオチューナであって、ＣＰＵ２０の制御に基づいてアンテナ３３で受信した放送信号を復調し、その結果を放送音声としてオーディオデータ処理部３０を介してスピーカ３１から出力する。
【００２５】
通信処理部３４は、ＣＰＵ２０の制御に基づいて送信データのエンコード処理を行い、当該エンコード処理した送信データをネットワークインターフェース３５を介してネットワーク３経由でＷｅｂサーバ５Ａ〜５Ｎへ送信したり、当該ネットワークインターフェース３５を介してＷｅｂサーバ５Ａ〜５Ｎから受信した受信データのデコード処理を行い、ＣＰＵ２０へ転送するようになされている。
【００２６】
またＣＰＵ２０は、リモートコントローラ２５を介してＷｅｂブラウザの起動命令が入力されると、当該起動命令に応じてＲＯＭ２２からＷｅｂブラウザプログラムを読み出し、これを実行することにより、図４に示すＷｅｂブラウザ画面４０をディスプレイ２７に表示する。
【００２７】
このＷｅｂブラウザ画面４０は、ページデータに基づいてＷｅｂページを表示するページ表示領域４１、当該ＷｅｂページのＵＲＬを入力及び表示するためのＵＲＬ表示領域４２、Ｗｅｂページの閲覧に便利な各種コマンドがアイコンとして表示されるアイコン表示領域４３から構成される。
【００２８】
アイコン表示領域４３には、前ページに戻るための戻アイコン４３Ａ、次ページに進むための進アイコン４３Ｂ、現在表示されているＷｅｂページを最新の情報に更新するための更新アイコン４３Ｃ、Ｗｅｂページの読み込みを中止するための中止アイコン４３Ｄ、登録したブックマークの一覧を表示するためのブックマーク一覧アイコン４３Ｅ、所望のＵＲＬをブックマークとして登録するためのブックマーク登録アイコン４３Ｆ、登録したブックマークの編集を行うためのブックマーク編集アイコン４３Ｇが表示される。
【００２９】
ここでＣＰＵ２０は、リモートコントローラ２５を介してブックマーク一覧アイコン４３Ｅが押下されたことを認識すると、図５に示すブックマーク一覧画面５０をディスプレイ２７に表示する。
【００３０】
このブックマーク一覧画面５０には、クライアント端末２に記憶されたブックマークがフォルダ「ルート」５１を最上層としたツリー状の階層構造で表示される。例えば図５の場合、ブックマーク一覧画面５０には、最上層のフォルダ「ルート」５１の下層にフォルダ「ニュース」５２Ａ、フォルダ「スポーツ」５２Ｂ及びフォルダ「音楽」５２Ｃが作成されている。
【００３１】
またフォルダ「ニュース」５２Ａにはブックマーク「今月の出来事」５３Ａ及びブックマーク「http://www.abcd-News.com」５３Ｂが登録され、フォルダ「スポーツ」５２Ｂにはブックマーク「プロ野球情報」５３Ｃが登録されており、フォルダ「音楽」５２Ｃの下層には、フォルダ「邦楽」５２Ｄ及びフォルダ「洋楽」５２Ｅが作成されている。
【００３２】
さらにフォルダ「邦楽」５２Ｄには、ブックマーク「邦楽アルバムランキング」５３Ｄが登録されており、フォルダ「洋楽」５２Ｅには、ブックマーク「http://www.yogaku-CD.com」５３Ｅ及びブックマーク「洋楽チャート」５３Ｆが登録されている。
【００３３】
なお、以下の説明においては「http://www.abcd-News.com」や「洋楽チャート」等をブックマーク名と呼ぶことにし、実際上クライアント端末２においては、これらブックマーク名とＵＲＬとを対応付けた情報をブックマークとしてハードディスクドライブ２４に記憶するようになされている。
【００３４】
このようにクライアント端末２は、ＵＲＬをブックマークとして記憶することができ、さらに当該ブックマークをそれぞれフォルダ毎（すなわちグループ単位）に分類して登録することができるようになされており、各ブックマークを、それぞれを分類するフォルダに対応付けてハードディスクドライブ２４に記憶するようになされている。
【００３５】
またＣＰＵ３０は、ブックマーク登録アイコン４３Ｆが押下されたことを認識すると、後述するブックマーク登録処理を開始するようになされており、ブックマーク編集アイコン４３Ｇが押下されたことを認識すると、図６に示すブックマーク編集画面６０をディスプレイ２７に表示するようになされている。
【００３６】
このブックマーク編集画面６０は、ブックマーク一覧画面５０と同様の構成であり、クライアント端末２に記憶されたブックマークがフォルダ「ルート」５１を最上層としたツリー状の階層構造で表示される。このブックマーク編集画面６０上では、フォルダを新規に作成したり、ブックマークを別のフォルダに移動したりするといった所定の編集操作をリモートコントローラ２５を介して実行することができるようになされており、ＣＰＵ２０は、所定の編集操作が行われると、当該編集操作の結果に基づいてハードディスクドライブ２４に記憶した各ブックマークを更新するようになされている。
【００３７】
そしてＣＰＵ２０は、ブックマーク一覧画面５０からブックマークが選択されたこと、あるいはＵＲＬ表示領域４２にＵＲＬが直接入力されたことを認識すると、当該ブックマークとして記憶しているＵＲＬ、あるいは直接入力されたＵＲＬをもとに例えばＷｅｂサーバ５Ａにアクセスしてページデータをダウンロードし、図７に示すように当該ページデータをＷｅｂページに変換してページ表示領域４１に表示するようになされている。
【００３８】
（２）ブックマーク自動分類処理
本実施の形態におけるクライアント端末２は、ブックマークを自動的にフォルダ毎に分類して登録するブックマーク自動分類機能を有しており、以下、このブックマーク自動分類機能におけるブックマーク自動分類処理について説明する。
【００３９】
ブックマーク自動分類処理は、ブックマークを分類する単位となるフォルダに対してキーワードを登録するキーワード登録処理と、当該キーワードをもとにブックマークを自動的にフォルダ毎に分類して登録するブックマーク登録処理とに大きく分かれており、まずキーワード登録処理から説明する。
【００４０】
なお、本実施の形態におけるキーワードとは、フォルダ毎にそれぞれ登録することができる例えば「スポーツ」等の文字列（以下、これをテキストとも呼ぶ）であり、後述するブックマーク登録処理において、ブックマークをどのフォルダに分類するかをＣＰＵ２０が判断する際に利用される情報（すなわちフォルダの分類を示すための情報）である。
【００４１】
（２−１）キーワード登録処理
クライアント端末２のＣＰＵ２０は、Ｗｅｂブラウザの起動命令が入力されたことを認識すると、Ｗｅｂブラウザ画面４０をディスプレイ２７に表示すると共に、ＲＯＭ２２から読み出したブックマーク自動分類プログラムの一部であるキーワード登録プログラムに従って図８に示すキーワード登録処理手順ＲＴ１を実行する。
【００４２】
ＣＰＵ２０は、キーワード登録処理手順ＲＴ１を実行すると、ステップＳＰ１においてページ表示領域４１に現在表示しているＷｅｂページ（以下、現在表示しているＷｅｂページを閲覧中ページとも呼ぶ）の全テキストの中から、所望のテキスト部分が選択されたか否かを判断する。
【００４３】
実際上クライアント端末２においては、図９に示すように、リモートコントローラ２５の方向キー（図示せず）を介してページ表示領域４１上の選択カーソルＴＣを操作することができるようになされており、これによりページ表示領域４１に表示したＷｅｂページの全テキストの中から、所望のテキスト部分（例えば「スポーツ」）を当該選択カーソルＴＣで指定し得るようになされている。
【００４４】
このステップＳＰ１において否定結果を得ると、このときＣＰＵ２０は、所望のテキスト部分が指定されるまでステップＳＰ１で待ち受ける。これに対してステップＳＰ１において肯定結果を得ると、このことは選択カーソルＴＣで所望のテキスト部分（例えば「スポーツ」）が指定されたことを表しており、このときＣＰＵ２０は、選択されたテキスト部分（例えば「スポーツ」）を認識し、次のステップＳＰ２に移る。
【００４５】
ステップＳＰ２においてＣＰＵ２０は、リモートコントローラ２５のメニューキー（図示せず）が押下されたときにＷｅｂブラウザ画面４０上に表示するメニューウインドウ（後述する）の中から項目「キーワード登録」が選択されたか否かを判断する。
【００４６】
実際上クライアント端末２においては、例えば所望のテキスト部分「スポーツ」が指定された状態でリモートコントローラ２５のメニューキーが押下されると、図１０に示すように、メニューウインドウＭＮをＷｅｂブラウザ画面４０上に表示するようになされている。
【００４７】
このメニューウインドウＭＮには、指定された所望のテキスト部分「スポーツ」の利用目的を示す項目として、項目「コピー」、項目「検索」、項目「メール」、項目「キーワード登録」及び項目「ブックマーク登録」が表示されており、リモートコントローラ２５の方向キーを介してメニューウインドウＭＮ上の項目選択カーソルＭＣを操作することにより、これらの項目の中から所望の項目を選択させ得るようになされている。
【００４８】
このステップＳＰ２において否定結果を得ると、このことはメニューウインドウＭＮの項目の中から項目「キーワード登録」以外の項目が選択されたことを表しており、このときＣＰＵ２０は、再びステップＳＰ１に戻って、テキストが指定されるまで待ち受ける。これに対してステップＳＰ２において肯定結果を得ると、このことはメニューウインドウＭＮの項目の中から項目「キーワード登録」が選択されたことを表しており、このときＣＰＵ２０は、所望のテキスト部分「スポーツ」をキーワードとして認識し、次のステップＳＰ３に移ってブックマーク編集画面６０をディスプレイ２７に表示し、次のステップＳＰ４に移る。
【００４９】
ステップＳＰ４において、ＣＰＵ２０は、ブックマーク編集画面６０上でキーワード「スポーツ」を登録するフォルダが選択されたか否かを判断する。実際上、クライアント端末２においては、項目「キーワード登録」を選択した後に表示するブックマーク編集画面６０上で、リモートコントローラ２５の方向キーを介してキーワード「スポーツ」を登録したいフォルダを選択させ得るようになされている。
【００５０】
このステップＳＰ４において否定結果を得ると、このときＣＰＵ２０は、フォルダが選択されるまでステップＳＰ５で待ち受ける。これに対してステップＳＰ４において肯定結果を得ると、例えばフォルダ「スポーツ」５２Ｂがキーワード「スポーツ」を登録するフォルダとして選択されたことになり、このときＣＰＵ２０は、ステップＳＰ５に移って、図１１に示すように、選択されたフォルダ「スポーツ」５２Ｂに対してキーワード「スポーツ」を登録すると共に、登録したことを示すポップアップＰＡをブックマーク編集画面６０上に表示し、次のステップＳＰ６に移る。因みに、キーワードを登録したいフォルダが存在しない場合には、このブックマーク編集画面６０上で所望のフォルダを新規作成し、当該新規作成したフォルダを選択してキーワードを登録するようにしてもよい。
【００５１】
ステップＳＰ６においてＣＰＵ２０は、図１２に示す優先度設定ウインドウ７０をブックマーク編集画面６０上に表示し、当該優先度設定ウインドウ７０上で現在登録したキーワード「スポーツ」の優先度を選択させることにより、当該キーワード「スポーツ」の優先度を設定する。なお、本実施の形態における優先度とは、後述するブックマーク登録処理において、ブックマークを登録する際に、どのキーワードのフォルダに優先的に分類するかをＣＰＵ２０が判断する際に利用される情報である。
【００５２】
優先度ウインドウ７０は、上から優先度順にキーワード及び当該キーワードに対応するフォルダの名称が表示される優先度表示部７１、及び設定ボタン７２から構成される。また優先度表示部７１には、現在登録したキーワード「スポーツ」の表示位置に選択カーソルＰＣが表示されるようになされている。
【００５３】
優先度ウインドウ７０上では、リモートコントローラ２５の方向キーを介して選択カーソルＰＣを上下に操作することにより、現在登録したキーワード「スポーツ」の優先度を自由に選択し得るようになされている。そしてＣＰＵ２０は、キーワード「スポーツ」の優先度が選択された状態で設定ボタン７２が押下されたことを認識すると、例えばキーワード「スポーツ」と、当該キーワードの優先度として選択された「１」とを優先度データとしてハードディスクドライブ２４に記録するようになされている。因みに、このようにしてキーワード「スポーツ」の優先度を設定するのに伴って、他のキーワードの優先度が変更された場合には、当該変更に応じて優先度データを更新するようになされている。
【００５４】
例えば、図１２に示すような表示状態で設定ボタン７２が押下された場合、ＣＰＵ２０は、キーワード「スポーツ」及びそのフォルダ「スポーツ」の優先度を「１」、キーワード「映画」及びそのフォルダ「映画」の優先度を「２」、キーワード「ファッション」及びそのフォルダ「ファッション」の優先度を「３」、キーワード「オークション」及びそのフォルダ「オークション」の優先度を「４」として設定し、これらを優先度データとして記録する。なお、本実施の形態の場合、優先度の数が小さい程優先度が高いキーワードとする。
【００５５】
ＣＰＵ２０は、設定ボタン７２が押下されてキーワードに対する優先度の設定が終了すると、優先度ウインドウ７０を閉じ、次のステップＳＰ７に移る。
【００５６】
ステップＳＰ７においてＣＰＵ２０は、ブックマーク編集画面６０上のフォルダ「スポーツ」５２Ｂの表示を、図１３に示すように、キーワードが登録されたことを示すフォルダ「スポーツ」５２Ｂｋに変更し、次のステップＳＰ８に移って、キーワード登録処理を終了する。なお、当然のことながらブックマーク一覧画面５０上のフォルダ「スポーツ」５２Ｂの表示においても、フォルダ「スポーツ」５２Ｂｋに変更するようになされている。これにより、どのフォルダにキーワードが登録されているかを、ユーザに容易に認識させ得るようになされている。
【００５７】
このようにクライアント端末２においては、キーワード登録処理時にリモートコントローラ２５を介してキーワードをわざわざ入力させることなく、ページ表示領域４１に表示したＷｅｂページの全テキストの中から所望のテキスト部分をキーワードとして指定させて登録し得るようになされており、これによりキーワードを登録する手間を一段と低減し得るようになされている。
【００５８】
（２−２）ブックマーク登録処理
次にブックマーク登録処理について図１４に示すフローチャートを用いて説明する。クライアント端末２のＣＰＵ２０は、リモートコントローラ２５を介してＷｅｂブラウザ画面４０のブックマーク登録アイコン４３Ｆ（図７）が押下されたことを認識すると、ブックマーク自動分類プログラムの一部であるブックマーク登録プログラムに従ってブックマーク登録処理手順ＲＴ２を実行する。
【００５９】
ＣＰＵ２０は、ブックマーク登録処理手順ＲＴ２を実行すると、ステップＳＰ１０において、上述のキーワード登録処理において登録したキーワードを、優先度の高い順に閲覧中ページ内の全テキストの中から検索し、次のステップＳＰ１１に移る。
【００６０】
すなわち、例えばキーワードが優先度の高い順にキーワード「スポーツ」、キーワード「映画」、キーワード「ファッション」、キーワード「オークション」と複数登録されている場合、ＣＰＵ２０は、キーワード「スポーツ」から順に検索する。
【００６１】
ステップＳＰ１１において、ＣＰＵ３０は、閲覧中ページ内の全テキストの中からキーワードが検索されたか否かを判定する。
【００６２】
ここで否定結果を得ると、このことは閲覧中ページ内の全テキストに例えばキーワード「スポーツ」、キーワード「映画」、キーワード「ファッション」、キーワード「オークション」のいずれも含まれていないことを表しており、このときＣＰＵ２０は、ステップＳＰ２０に移って、閲覧中ページのＵＲＬをブックマークとして登録しない旨をユーザに伝えるメッセージが記述された登録中止ウインドウ（図示せず）をＷｅｂブラウザ画面４０上に表示し、次のステップＳＰ２１に移る。
【００６３】
これに対してステップＳＰ１１において肯定結果を得ると、このことは閲覧中ページ内の全テキストの中から例えばキーワード「スポーツ」、キーワード「映画」、キーワード「ファッション」、キーワード「オークション」のうちの少なくとも１つ以上（例えば「スポーツ」及び「ファッション」）が検索されたことを表しており、このときＣＰＵ２０は、ステップＳＰ１２に移り、検索したキーワードの中で最も優先度の高いキーワード「スポーツ」を認識し、次のステップＳＰ１３に移る。
【００６４】
ステップＳＰ１３においてＣＰＵ２０は、ステップＳＰ１１で認識したキーワード「スポーツ」に対応するフォルダ「スポーツ」の下層に、他のフォルダが存在するか否かを判断する。
【００６５】
このステップＳＰ１３において否定結果を得ると、このときＣＰＵ２０は、ステップＳＰ１６に移り、図１５に示すように、ステップＳＰ１１で認識した閲覧中ページ内のキーワード「スポーツ」に対して検索カーソルＳＣを表示し、次のステップＳＰ１７に移る。
【００６６】
これに対してステップＳＰ１３において肯定結果を得ると、このときＣＰＵ２０は、ステップＳＰ１４に移り、フォルダ「スポーツ」の下層に存在するフォルダの中に、ステップＳＰ１１で検索した他のキーワード（例えば「ファッション」）が設定されたフォルダ（例えば「ファッション」）が存在するか否かを判断する。
【００６７】
このステップＳＰ１４において否定結果を得ると、このときＣＰＵ２０は、ステップＳＰ１６に移る。これに対してステップＳＰ１４において肯定結果を得ると、このことは、例えば最も優先度の高いキーワードとして検索されたキーワード「スポーツ」のフォルダ「スポーツ」の下層に、キーワード「スポーツ」よりも優先度の低いキーワードとして検索されたキーワード「ファッション」のフォルダ「ファッション」が存在することを表しており、このときＣＰＵ２０は、ステップＳＰ１５に移り、例えばキーワード「スポーツ」に代えてキーワード「ファッション」をキーワードとして認識すると共に、当該キーワード「ファッション」に対して検索カーソルＳＣを表示し（図示せず）、次のステップＳＰ１７に移る。
【００６８】
このようにＣＰＵ２０は、複数のキーワードが検索されると、まず最も優先度が高いキーワードを認識し、さらに当該認識したキーワードに対応するフォルダの下層に、他の検索されたキーワードに対応するフォルダが存在するか否かを判断し、このようなフォルダが存在する場合には、当該フォルダに設定されたキーワードをブックマーク登録対象フォルダのキーワードとして認識するようになされている。
【００６９】
ステップＳＰ１７においてＣＰＵ２０は、図１６に示すように、ステップＳＰ１０からステップＳＰ１６までの処理によって例えばキーワード「スポーツ」が検索された旨、及び当該キーワード「スポーツ」に対応するフォルダ「スポーツ」に閲覧中ページのＵＲＬをブックマークとして登録する旨をユーザに確認するためのメッセージが記述された登録確認ウインドウ８０をＷｅｂブラウザ画面４０上に表示し、次のステップＳＰ１８に移る。
【００７０】
この登録確認ウインドウ８０には、上述のメッセージが表示されると共に、認識したキーワード「スポーツ」のフォルダ「スポーツ」に閲覧中ページのＵＲＬをブックマークとして登録する登録ボタン８１、及び登録を中止する中止ボタン８２が設けられており、いずれかのボタンを押下することにより当該ＵＲＬを当該フォルダ「スポーツ」にブックマークとして登録するか否かをユーザが選択し得るようになされている。
【００７１】
ステップＳＰ１８においてＣＰＵ２０は、登録ボタン８１が押下されたか否かを判断する。このステップＳＰ１８において否定結果を得ると、このことは中止ボタン８２が押下されたことにより、ユーザが閲覧中ページのＵＲＬをブックマークとして登録しないと選択したことを表しており、このときＣＰＵ２０は、ステップＳＰ２０に移って登録中止ウインドウ（図示せず）をＷｅｂブラウザ画面４０上に表示し、次のステップＳＰ２１に移ってブックマーク登録処理を終了する。
【００７２】
これに対してステップＳＰ１８において肯定結果を得ると、このことは登録ボタン８１が押下されたことにより、ユーザが閲覧中ページのＵＲＬをキーワード「スポーツ」のフォルダ「スポーツ」にブックマークとして登録すると選択したことを表しており、このときＣＰＵ２０は、ステップＳＰ１９に移って、キーワード「スポーツ」のフォルダ「スポーツ」に閲覧中ページのＵＲＬ（例えば「http://www.wsports.com」）をブックマークとして登録し、次のステップＳＰ２１に移ってブックマーク登録処理を終了する。
【００７３】
この結果、図１７に示すように、ブックマーク一覧画面５０のフォルダ「スポーツ」５２Ｂｋに、ブックマーク「http://www.wsports.com」５３Ｇが表示される。これによりユーザは、これ以降、当該ブックマーク「http://www.wsports.com」５３Ｇを選択するだけでＵＲＬ「http://www.wsports.com」のＷｅｂページを閲覧することができる。
【００７４】
（３）動作及び効果
以上の構成においてクライアント端末２は、ブックマークを分類する単位となるフォルダにキーワードを登録する。このときクライアント端末２は、ユーザにキーワードを直接入力させるのではなく、閲覧中ページの全テキストの中から所望のテキスト部分を指定させ、当該指定させたテキスト部分をユーザの選択したフォルダに対するキーワードとして登録する。
【００７５】
そしてクライアント端末２は、閲覧中ページのＵＲＬをブックマークとして登録する命令を受けると、閲覧中ページの全テキストの中から登録済のキーワードを検索し、キーワードが検索されると、検索されたキーワード（例えば「スポーツ」）に対応するフォルダ（例えば「スポーツ」）に当該閲覧中ページのＵＲＬをブックマークとして登録する。
【００７６】
このようにクライアント端末２においては、閲覧中ページの全テキストから検索したキーワードに対応するフォルダに当該閲覧中ページのＵＲＬを分類して登録するようにしたことにより、閲覧中ページのＵＲＬを当該閲覧中ページに関連するフォルダに自動的に分類して登録することができる。
【００７７】
以上の構成によれば、クライアント端末２は、ブックマークを分類する単位となるフォルダにキーワードを登録しておき、閲覧中ページのＵＲＬをブックマークとして登録する際に、当該閲覧中ページの全テキストからキーワードを検索し、キーワードが検索できると、当該検索できたキーワードに対応するフォルダに当該ＵＲＬを登録するようにしたことにより、閲覧中ページのＵＲＬを当該閲覧中ページに関連するフォルダに自動的に分類して登録することができ、かくしてユーザに手間をかけさせることなくＵＲＬをブックマークとしてフォルダ毎に分類して登録することができる。
【００７８】
またクライアント端末２においては、キーワードの登録時に、当該キーワードに対して優先度を設定しておき、ブックマークを登録する際、当該優先度、及び当該優先度によって認識したキーワードに対応するフォルダの下層に別のフォルダが存在するか否かを判断し、当該判断結果をもとに得られたキーワードに対応するフォルダに当該ブックマークを登録するようにしたことにより、ユーザの所望するフォルダにブックマークを登録し得ると共に、下層のフォルダが存在するにも関わらず上層のフォルダにブックマークを登録してしまうような乱雑な登録を防止し、整理した状態でブックマークを登録することができるので、ブックマークの登録後にわざわざ当該ブックマークを整理し直させなければならいような手間を省くことができる。
【００７９】
（４）他の実施の形態
なお上述の実施の形態においては、閲覧中ページの全テキストの中から複数のキーワードが検索された場合に、当該キーワードの優先度、及び当該優先度によって認識したキーワードに対応するフォルダの下層に別のフォルダが存在するか否かを判断し、当該判断結果をもとにキーワードを１つ認識し、当該認識したキーワードのフォルダに閲覧中ページのＵＲＬをブックマークとして登録するようにした場合について述べたが、本発明はこれに限らず、複数のキーワードが検索された場合に、これらのキーワードに対応する複数のフォルダの全てに、閲覧中ページのＵＲＬをブックマークとして登録するようにしてもよい。
【００８０】
また上述の実施の形態においては、閲覧中ページの全テキストの中から所望のテキスト部分を指定させ、これをキーワードとして登録するようにした場合について述べたが、本発明はこれに限らず、閲覧中ページのＵＲＬや、画像データの名称及びメタデータ等のように当該閲覧中ページのページデータに含まれ、かつキーワードとして指定し得る種々のデータの中からキーワードを指定させて登録するようにしてもよい。さらに、例えばブックマーク編集画面６０上で所望のフォルダにキーワードを直接入力させて登録するようにしてもよい。
【００８１】
さらに上述の実施の形態においては、ブックマーク登録処理において、登録しようとしているＵＲＬと同じＵＲＬが既にブックマークとして登録されている場合については言及していないが、同じＵＲＬが既にブックマークとして登録されている場合には、ブックマークとして登録済みであることを伝えるためのメッセージが記述された所定のウインドウを表示して、登録しようとしているＵＲＬの登録を省略するようにしてもよい。さらにこの場合、全く同じＵＲＬでなくても、例えばＵＲＬ「http://www.wsports.com」とＵＲＬ「http://www.wsports.com/football」とのように、ＵＲＬ「http://www.wsports.com/football」がＵＲＬ「http://www.wsports.com」の下層であるために、その一部が重複している場合にも登録を省略するようにしてもよい。このように既に登録されているＵＲＬと同じＵＲＬや、一部が重複するＵＲＬについては、ブックマークとして登録することを省略するようにすることにより、ブックマークがやたらに登録されるのを防止することができる。
【００８２】
さらに上述の実施の形態においては、閲覧中ページのＵＲＬをブックマークとして登録しようとする際に、閲覧中ページの全テキストの中に登録済のキーワードがひとつも検索されなかった場合には、当該ＵＲＬをブックマークとして登録しないようにした場合について述べたが、本発明はこれに限らず、登録済のキーワードがひとつも検索されなかった場合には、所定のフォルダ（例えばルート「フォルダ」５１）に登録するようにしてもよい。
【００８３】
さらに上述の実施の形態においては、キーワードの登録時に当該キーワードに対して優先度を設定するようにした場合について述べたが、本発明はこれに限らず、キーワードの登録時以降においても、例えばリモートコントローラ２５を介して入力される優先度の設定命令に応じて、ブックマーク編集画面６０上に優先度設定ウインドウ７０を表示させ、当該優先度設定ウインドウ７０上で、各キーワードの優先度を設定させるようにしてもよい。
【００８４】
さらに上述の実施の形態においては、クライアント端末２のＣＰＵ２０がＲＯＭ２２に予め格納されたアドレス更新プログラムとしてのブックマーク自動分類プログラムをＲＡＭ２３上に展開し、当該ブックマーク自動分類プログラムに従って上述のキーワード登録処理及びブックマーク登録処理を実行するようにした場合について述べたが、本発明はこれに限らず、ブックマーク自動分類プログラムが格納されたプログラム格納媒体をクライアント端末２にインストールすることにより当該キーワード登録処理及びブックマーク登録処理を実行するようにしてもよい。
【００８５】
さらに上述の実施の形態においては、リモートコントローラ２５を介してキーワードの指定や、ブックマークの登録を行うようにした場合について述べたが、本発明はこれに限らず、例えばクライアント端末２の筐体に設けられた操作ボタンや、クライアント端末２に接続されたキーボード等を介してキーワードの指定や、ブックマークの登録を行うようにしてもよい。この場合であっても、本発明によれば、ユーザに手間をかけさせることなくＵＲＬをブックマークとしてフォルダ毎に分類して登録することができる。
【００８６】
さらに上述の実施の形態においては、アドレス記憶装置としてのクライアント端末２を、グループ設定手段及びキーワード設定手段としてのリモートコントローラ２５、赤外線受信部２６、ディスプレイ２７、表示処理部２８及びハードディスクドライブ２４や、表示手段としてのディスプレイ２７及び表示処理部２８や、キーワード検索手段としてのＣＰＵ２０や、アドレス記憶手段としてのＣＰＵ２０及びハードディスクドライブ２４や、選択手段としてのリモートコントローラ２５及び赤外線受信部２６の各手段によって構成するようにした場合について述べたが、本発明はこれに限らず、この他種々の回路でこれら各手段を構成するようにしてもよい。
【産業上の利用可能性】
【００８７】
本発明は、例えばブックマーク機能を有するクライアント端末に利用することができる。
【図面の簡単な説明】
【００８８】
【図１】本発明によるネットワークシステムの全体構成を示す略線図である。
【図２】Ｗｅｂサーバの回路構成を示すブロック図である。
【図３】クライアント端末の回路構成を示すブロック図である。
【図４】Ｗｅｂブラウザ画面（１）を示す略線図である。
【図５】ブックマーク一覧画面（１）を示す略線図である。
【図６】ブックマーク編集画面（１）を示すブロック図である。
【図７】Ｗｅｂブラウザ画面（２）を示す略線図である。
【図８】キーワード登録処理手順を示すフローチャートである。
【図９】Ｗｅｂブラウザ画面（３）を示す略線図である。
【図１０】Ｗｅｂブラウザ画面（４）を示す略線図である。
【図１１】ブックマーク編集画面（２）を示す略線図である。
【図１２】優先度設定ウインドウを示す略線図である。
【図１３】ブックマーク編集画面（３）を示す略線図である。
【図１４】ブックマーク登録処理手順を示すフローチャートである。
【図１５】Ｗｅｂブラウザ画面（５）を示す略線図である。
【図１６】Ｗｅｂブラウザ画面（６）を示す略線図である。
【図１７】ブックマーク一覧画面（２）を示す略線図である。
【符号の説明】
【００８９】
１……ネットワークシステム、２……クライアント端末、３……ネットワーク、５Ａ〜５Ｎ……Ｗｅｂサーバ、２０……ＣＰＵ、２２……ＲＯＭ、２３……ＲＡＭ、２４……ハードディスクドライブ、２５……リモートコントローラ、２６……赤外線受信部、２７……ディスプレイ、２８……表示処理部、４０……Ｗｅｂブラウザ画面、５０……ブックマーク一覧画面、６０……ブックマーク編集画面、７０……優先度設定ウインドウ。
【図１】
2005173977.tif 000003
【図２】
2005173977.tif 000004
【図３】
2005173977.tif 000005
【図４】
2005173977.tif 000006
【図５】
2005173977.tif 000007
【図６】
2005173977.tif 000008
【図７】
2005173977.tif 000009
【図８】
2005173977.tif 000010
【図９】
2005173977.tif 000011
【図１０】
2005173977.tif 000012
【図１１】
2005173977.tif 000013
【図１２】
2005173977.tif 000014
【図１３】
2005173977.tif 000015
【図１４】
2005173977.tif 000016
【図１５】
2005173977.tif 000017
【図１６】
2005173977.tif 000018
【図１７】
2005173977.tif 000019